(57)【要約】【課題】  鏡面加工後に現れるレンズコバ面の縦縞模様を目立たなくし、見栄えの良い鏡面仕上がり面を得ることができる眼鏡レンズの鏡面加工条件設定方法及び眼鏡レンズ加工装置を提供する。【解決手段】  仕上げ加工された眼鏡レンズの周縁を鏡面砥石により鏡面加工する際のレンズの回転速度及び鏡面砥石の回転速度の条件を設定する眼鏡レンズの鏡面加工条件設定方法において、レンズの１回転での回転速度をＶｌ（秒／１回転）とし、鏡面砥石の回転速度をＶｗ（回転数／秒）とし、Ｎ＝Ｖｌ×Ｖｗの関係式で求められる数Ｎで、所期する玉型のレンズ全周の周長を分割したときの間隔が、眼の分解能より小さくなるか、又は２ｍｍより大きくなるか、どちらかを満たすようにレンズの回転速度及び鏡面砥石の回転速度の条件を設定することを特徴とする。【選択図】      図２
2010280018.tif 000002
【特許請求の範囲】
【請求項１】
仕上げ加工された眼鏡レンズの周縁を鏡面砥石により鏡面加工する際のレンズの回転速度及び鏡面砥石の回転速度の条件を設定する眼鏡レンズの鏡面加工条件設定方法において、
レンズの１回転での回転速度をＶｌ（秒／１回転）とし、鏡面砥石の回転速度をＶｗ（回転数／秒）とし、
Ｎ＝Ｖｌ×Ｖｗ
の関係式で求められる数Ｎで、所期する玉型のレンズ全周の周長を分割したときの間隔が、眼の分解能より小さくなるか、又は２ｍｍより大きくなるか、どちらかを満たすようにレンズの回転速度及び鏡面砥石の回転速度の条件を設定することを特徴とする眼鏡レンズの鏡面加工条件設定方法。
【請求項２】
請求項１の眼鏡レンズの鏡面加工条件設定方法において、レンズの回転速度及び鏡面砥石の回転速度の条件は、前記間隔が０．０５ｍｍ以下、又は３ｍｍ以上を満たすように設定することを特徴とする眼鏡レンズの鏡面加工条件設定方法。
【請求項３】
眼鏡レンズをレンズチャック軸に保持して回転するレンズ回転手段と、砥石回転軸に取り付けられた鏡面砥石を回転する鏡面砥石回転手段と、レンズ回転軸と砥石回転軸との軸間距離を変動させる軸間距離変動手段とを備え、玉型データに基づいて仕上げ加工後のレンズの周縁を鏡面加工する眼鏡レンズ加工装置において、
鏡面加工時のレンズの回転速度及び鏡面砥石の回転速度の条件を記憶する記憶手段であって、レンズの１回転での回転速度をＶｌ（秒／１回転）とし、鏡面砥石の回転速度をＶｗ（回転数／秒）とし、Ｎ＝Ｖｌ×Ｖｗの関係式で求められる数Ｎで、所期する玉型のレンズ全周の周長を分割したときの間隔が、眼の分解能より小さくなるか、又は２ｍｍより大きくなるか、どちらかを満たすように設定されたレンズの回転速度及び鏡面砥石の回転速度の鏡面仕上げ条件を記憶する記憶手段と、
仕上げ加工後のレンズ周縁を鏡面砥石により所定の鏡面加工代分だけ加工するように玉型データに基づいて前記レンズ回転手段、鏡面砥石回転手段及び軸間距離変動手段を制御する制御手段であって、少なくともレンズの最終回転で前記記憶手段に記憶された鏡面仕上げ条件のレンズの回転速度及び鏡面砥石回転速度に基づいて前記レンズ回転手段及び鏡面砥石回転手段を制御する制御手段と、
を備えることを特徴とする眼鏡レンズ加工装置。
【請求項４】
請求項３の眼鏡レンズ加工装置において、前記制御手段は、鏡面加工時にレンズを複数回回転して所定の鏡面加工代分をほぼ研削する第１段階と最終のレンズ回転を含む第２段階の少なくとも２段階でレンズ回転速度及び砥石回転速度の条件を変えて前記レンズ回転手段及び鏡面砥石回転手段を制御する手段であり、前記記憶手段は第１段階の条件として鏡面加工代分をほぼ研削すると共にレンズ周縁の焼けを防止するものとして設定されたレンズの回転速度及び鏡面砥石の回転速度を記憶し、第２段階の条件として前記鏡面仕上げ条件を記憶していることを特徴とする眼鏡レンズ加工装置。
【請求項５】
請求項３の眼鏡レンズ加工装置において、前記制御手段は、鏡面加工時にレンズの１回転毎に微小な加工代分だけ加工するように前記軸間距離変動手段を制御すると共に前記記憶手段に記憶された前記鏡面仕上げ条件に基づいて前記レンズ回転手段及び鏡面砥石回転手段を制御し、微小な加工代分が所定の鏡面加工代となるまでレンズを回転させることを特徴とする眼鏡レンズ加工装置。
【請求項６】
請求項３の眼鏡レンズ加工装置において、前記制御手段は、鏡面加工時にレンズの１回転での回転速度が前記記憶手段に記憶された鏡面仕上げ条件のレンズの回転速度を満たし、且つ鏡面砥石と接触するレンズの接触点の移動速度を略一定にするように、玉型データ及び鏡面砥石の径に基づいてレンズの回転角毎の速度データを求め、該求めた速度データに基づいて前記レンズ回転手段を制御することを特徴とする眼鏡レンズ加工装置。
【発明の詳細な説明】
【技術分野】
【０００１】
本発明は、鏡面加工時の眼鏡レンズの回転速度及び鏡面砥石の回転速度の条件を設定する眼鏡レンズの鏡面加工条件設定方法及び眼鏡レンズの周縁を加工する眼鏡レンズ加工装置に関する。
【背景技術】
【０００２】
眼鏡枠に保持される眼鏡レンズの周縁は、眼鏡レンズ加工装置が持つ粗加工具により粗加工された後、仕上げ加工具により仕上げ加工される。近年では、眼鏡フレームの軽量化及びデザイン性の向上により、細いワイヤーによってレンズが保持されるタイプのフレーム及びリムレスタイプのフレームが普及し、レンズのコバ面の外観が重視されるようになっている。この対応として、仕上げ加工された白い摺り面のコバ面を、さらに鏡面砥石により鏡面加工し、透明化する加工が行われている（例えば、特許文献１参照）。
【先行技術文献】
【特許文献】
【０００３】
【特許文献１】特開平１１−９０８０５号公報
【発明の概要】
【発明が解決しようとする課題】
【０００４】
鏡面加工では、仕上げ砥石より粒度の細かな鏡面砥石が使用される。このため、従来は、加工時の熱の上がり過ぎによる被加工面の焼けを防止することを主にして鏡面砥石の回転速度等の条件が設定されていた。しかしながら、鏡面加工された被加工面での光の反射によって、コインのコバ面に形成された縦縞模様のように、レンズコバの厚み方向に細かな間隔の縦縞模様が現れていた。このため、鏡面加工に際して、見栄えの点でさらに改善の必要があった。
【０００５】
本発明は、上記従来技術の問題点に鑑み、鏡面加工後に現れるレンズコバ面の縦縞模様を目立たなくし、見栄えの良い鏡面仕上がり面を得ることができる眼鏡レンズの鏡面加工条件設定方法及び眼鏡レンズ加工装置を提供することを技術課題とする。
【課題を解決するための手段】
【０００６】
上記課題を解決するために、本発明は以下のようなステップ又は構成を備えることを特徴とする。
（１）  仕上げ加工された眼鏡レンズの周縁を鏡面砥石により鏡面加工する際のレンズの回転速度及び鏡面砥石の回転速度の条件を設定する眼鏡レンズの鏡面加工条件設定方法において、レンズの１回転での回転速度をＶｌ（秒／１回転）とし、鏡面砥石の回転速度をＶｗ（回転数／秒）とし、
Ｎ＝Ｖｌ×Ｖｗ
の関係式で求められる数Ｎで、所期する玉型のレンズ全周の周長を分割したときの間隔が、眼の分解能より小さくなるか、又は２ｍｍより大きくなるか、どちらかを満たすようにレンズの回転速度及び鏡面砥石の回転速度の条件を設定することを特徴とする。
（２）  （１）の眼鏡レンズの鏡面加工条件設定方法において、レンズの回転速度及び鏡面砥石の回転速度の条件は、前記間隔が０．０５ｍｍ以下、又は３ｍｍ以上を満たすように設定することを特徴とする。
（３）  眼鏡レンズをレンズチャック軸に保持して回転するレンズ回転手段と、砥石回転軸に取り付けられた鏡面砥石を回転する鏡面砥石回転手段と、レンズ回転軸と砥石回転軸との軸間距離を変動させる軸間距離変動手段とを備え、玉型データに基づいて仕上げ加工後のレンズの周縁を鏡面加工する眼鏡レンズ加工装置において、鏡面加工時のレンズの回転速度及び鏡面砥石の回転速度の条件を記憶する記憶手段であって、レンズの１回転での回転速度をＶｌ（秒／１回転）とし、鏡面砥石の回転速度をＶｗ（回転数／秒）とし、Ｎ＝Ｖｌ×Ｖｗの関係式で求められる数Ｎで、所期する玉型のレンズ全周の周長を分割したときの間隔が、眼の分解能より小さくなるか、又は２ｍｍより大きくなるか、どちらかを満たすように設定されたレンズの回転速度及び鏡面砥石の回転速度の鏡面仕上げ条件を記憶する記憶手段と、仕上げ加工後のレンズ周縁を鏡面砥石により所定の鏡面加工代分だけ加工するように玉型データに基づいて前記レンズ回転手段、鏡面砥石回転手段及び軸間距離変動手段を制御する制御手段であって、少なくともレンズの最終回転で前記記憶手段に記憶された鏡面仕上げ条件のレンズの回転速度及び鏡面砥石回転速度に基づいて前記レンズ回転手段及び鏡面砥石回転手段を制御する制御手段と、を備えることを特徴とする。
（４）  （３）の眼鏡レンズ加工装置において、前記制御手段は、鏡面加工時にレンズを複数回回転して所定の鏡面加工代分をほぼ研削する第１段階と最終のレンズ回転を含む第２段階の少なくとも２段階でレンズ回転速度及び砥石回転速度の条件を変えて前記レンズ回転手段及び鏡面砥石回転手段を制御する手段であり、前記記憶手段は第１段階の条件として鏡面加工代分をほぼ研削すると共にレンズ周縁の焼けを防止するものとして設定されたレンズの回転速度及び鏡面砥石の回転速度を記憶し、第２段階の条件として前記鏡面仕上げ条件を記憶していることを特徴とする。
（５）  （３）の眼鏡レンズ加工装置において、前記制御手段は、鏡面加工時にレンズの１回転毎に微小な加工代分だけ加工するように前記軸間距離変動手段を制御すると共に前記記憶手段に記憶された前記鏡面仕上げ条件に基づいて前記レンズ回転手段及び鏡面砥石回転手段を制御し、微小な加工代分が所定の鏡面加工代となるまでレンズを回転させることを特徴とする。
（６）  （３）の眼鏡レンズ加工装置において、前記制御手段は、鏡面加工時にレンズの１回転での回転速度が前記記憶手段に記憶された鏡面仕上げ条件のレンズの回転速度を満たし、且つ鏡面砥石と接触するレンズの接触点の移動速度を略一定にするように、玉型データ及び鏡面砥石の径に基づいてレンズの回転角毎の速度データを求め、該求めた速度データに基づいて前記レンズ回転手段を制御することを特徴とする。
【発明の効果】
【０００７】
本発明によれば、鏡面加工後に現れるレンズコバ面の縦縞模様を目立たなくでき、見栄えの良い鏡面仕上がり面を得ることができる。
【発明を実施するための形態】
【０００８】
以下、本発明の実施の形態を図面に基づいて説明する。本発明が適用される眼鏡レンズ加工装置の実施形態の説明に先立ち、鏡面砥石による鏡面加工後にレンズコバの厚み方向に現れる周期的な縦縞模様の発生理由を説明する。
【０００９】
図１は、鏡面砥石の１回転により生じる加工面の高さ変動を説明する図である。図１において、仕上げ加工されたレンズＬＥは、チャック中心ＬＯを中心に回転されると共にＹ軸方向に移動され、鏡面砥石ＧＷにより周縁が鏡面加工される。鏡面砥石ＧＷは、砥石スピンドル（砥石回転軸）が取り付けられ、砥石スピンドルの回転中心ＤＣを中心に回転される。鏡面砥石ＧＷが１回転されたとき、鏡面砥石ＧＷの加工面の高さ（図１上のＹ軸方向の位置）は一定でなく、少なくともミクロンオーダではΔｈで上下に変動される。これは、主に砥石スピンドルの回転中心ＤＣに対する鏡面砥石ＧＷの中心ＴＣの偏心に起因している。鏡面砥石ＧＷの中心には砥石スピンドルが通される穴ＧＷａが形成され、鏡面砥石ＧＷが砥石スピンドルに固定される。しかし、鏡面砥石ＧＷに対する穴ＧＷａの中心位置精度を厳密に確保することは極めて難しく、少なくともミクロンオーダでは偏心されている。また、鏡面砥石ＧＷの加工面の高さ変動は、鏡面砥石ＧＷの外径が真円から偏っている要因、砥石スピンドルが回転されるときの振動の要因も考えられる。
【００１０】
このような鏡面砥石ＧＷの加工面の高さ変動があると、コバ面を一定の高さで鏡面加工するように、レンズＬＥの高さ（Ｙ軸方向の位置）が制御されたとしても、図２のように、レンズの被加工面ＬＥＦは周期的な波を打つように加工される。図２は、レンズＬＥの被加工面ＬＥＦに現れる周期的な変動の説明図である。図２において、ＧＳは半径Ｒを持つ鏡面砥石ＧＷの加工面として示されている。
【００１１】
図２において、レンズＬＥの回転角θ（θ１、θ２、θ３、・・・）の変化に伴って鏡面砥石ＧＷの中心ＴＣが相対的に図２上の右方向に移動するものとし、砥石１６５が１回転されたときに、その中心ＴＣの高さ（Ｙ軸方向の位置）が正弦波状に変化するものとする。なお、レンズＬＥの被加工面ＬＥＦは、近似的に直線的に加工されるように、レンズＬＥのＹ軸方向の位置が制御されているものとする。
【００１２】
ここで、砥石ＧＷの中心ＴＣの高さが回転角θ１に対して回転角θ２、θ３、θ４、θ５で順次下がっている場合、加工面ＧＳの最上端も徐々に下がるため、レンズＬＥの被加工面ＬＥＦは徐々に下がるように加工される。そして、砥石ＧＷの中心ＴＣが最下点に位置する回転角θ５で、レンズＬＥの被加工面ＬＥＦも最も低くなる。次に、砥石ＧＷの中心ＴＣの高さが回転角θ６、θ７、θ８、θ９で順次上がっている場合には、レンズＬＥの被加工面ＬＥＦも再び徐々に上がるように加工される。砥石ＧＷの中心ＴＣ及び加工面ＧＳの最上端は正弦波状に変化するが、レンズＬＥの被加工面ＬＥＦは、半径Ｒを持つ加工面ＧＳが合成された結果となり、回転角θ５の位置で尖った山型状に加工される。
【００１３】
回転角θ１〜θ９で砥石ＧＷが１回転されるため、この周期でレンズのコバ面に山型状の被加工面が出現することになる。そして、被加工面の周期的な変化に伴い、被加工面での光の反射方向も周期的に変化されるため、鏡面加工後のコバ面にはコバの厚み方向に現れる周期的な縦縞模様として観察される。
【００１４】
被加工面ＬＥＦの高さ変動について、従来の鏡面加工条件で確認した。レンズＬＥの外径形状を直径４０ｍｍの円形とし、仕上げ加工後の鏡面加工の加工条件は、レンズ回転速度Ｖｌを１５秒／１回転とし、鏡面砥石ＧＷの回転速度Ｖｗを２０００ｒｐｍ（２０００回転／分）とした。また、仕上げ加工後の鏡面加工代を０．１ｍｍとし、レンズＬＥを４回転させて鏡面加工代の０．１ｍｍが研削されるものとした。この条件は粒度が４０００番の鏡面砥石で、レンズの被加工面に焼け及び摺り残しを生じさせずに、加工効率が高くなるように設定され、また、鏡面加工の加工時間を長引かせないように設定されたものである。この条件で鏡面加工された被加工面の山型形状の高さ及び間隔を顕微鏡で確認した結果、高低差は数ミクロンであり、縦縞模様の周期的な間隔は平均的に０．３ｍｍ程度であった。このような間隔の縦縞模様は、コバでの反射光が強くなる方向から見ると、目立つように観察される。
【００１５】
次に、周期的な縦縞模様を目立たなくする加工条件の設定方法を説明する。前述のような周期的な縦縞模様の発生原因の究明により、レンズの回転速度と鏡面砥石ＧＷの回転速度との関係で、レンズ１回転当りの鏡面砥石ＧＷの回転数によって、レンズの１周に出現する縦縞模様の個数Ｎが決定されることが分った。すなわち、レンズの１回転当りのレンズ回転速度をＶｌ（秒／１回転）とし、鏡面砥石の回転速度をＶｗ（回転数／秒）としたとき、縦縞模様の個数Ｎは、以下の関係式で表される。
【００１６】
Ｎ＝Ｖｌ×Ｖｗ  ・・・（式１）
なお、砥石回転速度の単位がｒｐｍ（回転数／分）で扱われる場合は、上記の関係式を６０秒で割り算することにより個数Ｎが求められる。また、個数Ｎは、レンズの１回転当りの鏡面砥石ＧＷの回転数でもある。
【００１７】
例えば、前述と同じく、レンズ回転速度Ｖｌが１５秒／１回転であり、鏡面砥石ＧＷの回転速度Ｖｗが２０００ｒｐｍ（３３．３回転／秒）である場合、個数Ｎは５００個となる。レンズＬＥの外径形状（玉型）が直径４０ｍｍの円形である場合、レンズ１周分の長さ約１２６ｍｍをＮ＝５００で分割すれば、縦縞模様の間隔は約０．２５ｍｍとして計算される。これは、前述の確認結果とほぼ同様な値である。
【００１８】
レンズの１周に出現する縦縞模様を目立たなくするために、次の２つの方法で解決できる。第１方法は、レンズ周縁に現れる縦縞模様の間隔（図２上の距離Ｉ）を人眼の分解能よりも密にするように、縦縞模様の個数Ｎを増加させる方法である。第２方法は、逆に、レンズ周縁に現れる縦縞模様の間隔を粗くし、細かな間隔として気にならなにように、縦縞模様の個数Ｎを減らす方法である。言い換えると、鏡面加工されるレンズのある玉型サイズを想定し（所期する径を持つレンズを想定し）、そのレンズの全周の周長を式１の数Ｎで分割したときの間隔が、人眼の分解能より小さくなるか、又は視覚的に粗くて目立ち難いものとして想定した距離以上となるか、何れかを満たすようにレンズの回転速度及び鏡面砥石の回転速度の条件を設定する。
【００１９】
第１方法の条件設定を説明する。０．１〜１．０ｍｍの間隔は、通常の分解能を持つ眼により十分に認識される間隔である。人の眼の分解能（近接した２点を識別する能力）は、正常な眼の場合で、明視距離２５０ｍｍにおいて０．０６ｍｍ（視角５０秒）と言われている。したがって、縦縞模様の間隔が０．０６ｍｍよりも小さく、０．０５ｍｍ以下であれば縞模様として認識しずらくなり、０．０１ｍｍ以下になれば、もはや眼では認識できなくなる。
【００２０】
例えば、鏡面加工されるレンズＬＥの玉型として、平均的な直径４０ｍｍ（回転中心からの半径が２０ｍｍ）の円形を想定した場合、レンズの全周の周長は約１１２６ｍｍであり、周期的な縦縞模様の間隔を０．０５ｍｍとする場合の個数Ｎは２５２０個である。個数Ｎが２５２０個となる条件として、レンズ回転速度Ｖｌを１５秒／１回転とした場合、砥石回転速度Ｖｗは１００８０ｒｐｍ（回転数／分）となる。砥石回転速度Ｖｗを６０００ｒｐｍ（回転数／分）とした場合、レンズ回転速度Ｖｌは２５．２秒／１回転となる。
【００２１】
また、レンズの玉型が上記と同一で、より好ましく、周期的な縦縞模様の間隔を０．０１ｍｍとしたときの個数Ｎは１２６００個である。個数Ｎが１２６００個となる条件として、レンズ回転速度Ｖｌを１５秒／１回転とした場合、砥石回転速度Ｖｗは５０４００ｒｐｍ（回転数／分）となる。砥石回転速度Ｖｗを６０００ｒｐｍ（回転数／分）とした場合、レンズ回転速度Ｖｌは１２６秒／１回転となる。
【００２２】
第２の方法の条件設定を説明する。第２の方法では、できるだけ縦縞模様の間隔（図５上の距離Ｉ）を広くするために、レンズの回転速度Ｖｌを速め、砥石回転速度Ｖｗを遅くする。ただし、レンズの回転速度Ｖｌを速くし過ぎると、回転中心からの動径長が急激に変化している場合（例えば、玉型が方形である場合）に、Ｙ軸方向のレンズの移動が追いつかずに、レンズの加工形状の精度が確保できなくなる恐れがある。また、砥石回転速度Ｖｗを遅くし過ぎると、鏡面砥石の安定した回転が確保できなくなる可能性がある。このため、加工条件として、例えば、レンズの加工形状の精度を安定して確保可能なレンズ回転速度Ｖｌを４秒／１回転とし、また、鏡面砥石の安定した回転を確保可能な砥石回転速度Ｖｗを５００ｒｐｍとした場合、個数Ｎは約３３個である。玉型サイズとして直径４０ｍｍを想定した場合、レンズの周長は約１２６ｍｍであり、Ｎ＝３３により分割される間隔は約３．８ｍｍとなる。
【００２３】
本発明者の実験によれば、周期的な縦縞模様の間隔が０．１〜１ｍｍの場合には、縦縞模様が目立つが、間隔が２ｍｍであれば縦縞模様として認識し難くなることが分った。間隔が３ｍｍ以上の場合には、光の反射によって現れる縦縞模様は観察できないくらいなっていた。したがって、少なくとも間隔が２ｍｍより大きくなれば、縦縞模様として目立たなくなり、従来よりも見栄えの良い鏡面が得られる。より好ましくは間隔が３ｍｍ以上であれば、極めて見栄えの良い鏡面仕上がり面を得ることができる。
【００２４】
例えば、玉型サイズが直径４０ｍｍで、間隔が２ｍｍとなる個数Ｎは６３個であり、間隔が３ｍｍとなる個数Ｎは約４２個である。個数Ｎが４２個となる条件として、砥石回転速度Ｖｗを５００ｒｐｍとした場合、レンズの回転速度Ｖｌは約５秒／1回転となり、加工精度を確保できる。また、個数Ｎが４２個となる条件として、レンズの回転速度Ｖｌを４秒／１回転として場合、砥石回転速度Ｖｗを６３０ｒｐｍとなり、安定した回転を確保できる。
【００２５】
なお、第１方法の条件設定で縦縞模様の間隔を０．０５ｍｍとする場合であっても、レンズ回転速度Ｖｌを従来と同じ１５秒／１回転とするためには、砥石回転速度Ｖｗとして１００８０ｒｐｍ（回転数／分）が必要となる。このためには、砥石回転用のモータとして回転能力の高いもの（又は回転速度を速める回転伝達機構）が必要となり、これは高価であり、装置が大型化する不利がある。６０００ｒｐｍの回転速度が上限であるモータを使用する場合には、レンズ回転速度Ｖｌは２５．２秒／１回転となり、従来よりも加工時間を長く必要とする。これに対して、第２方法の条件を適用する場合には、モータの回転能力として大きなものを使用せず、且つ鏡面加工時間を長引かせることなく、鏡面加工を行える。
【００２６】
図３は、従来の加工条件、第１方法の加工条件及び第２方法の加工条件で、被加工面ＬＥＦの高さ変動をシミュレーションした結果の模式図である。図３（ａ）は、従来の加工条件によるものであり、図２と同じく、被加工面ＬＥＦには高さΔＨ１で尖った部分を持つ山型状の変動が現れている。図３（ｂ）は、第１方法の条件で周期的な縦縞模様の間隔（距離Ｉ）を密にした場合である。この場合、被加工面ＬＥＦの変動の高さΔＨ２は、図３（ａ）のΔｈ１よりも低くなっている。したがって、図３（ａ）の場合よりも、縦縞模様が目立ちにくくなると考えられる。図３（ｃ）は、第２方法の条件で周期的な縦縞模様の間隔（距離Ｉ）を粗くした場合である。この場合、被加工面ＬＥＦの変動の高さΔｈ３は図３（ａ）のΔｊ１よりも高くなっているが、周期が長くなっている分、尖った山型状の変動は緩和され、緩やかな変動になっている。このため、図３（ａ）の場合よりも、縦縞模様が目立ちにくくなると考えられる。
【００２７】
なお、上記の第１方法又は第２方法において、レンズ回転速度Ｖlでレンズの微小な回転角毎の回転速度を等速とし、玉型が円形で無い場合には部分的に縦縞模様の間隔が異なる。しかし、平均的な間隔が前述のような条件を満たすことにより、全体的には従来よりも、縦縞模様を目立たなくでき、見栄えの良い鏡面仕上がり面を得ることができる。
【００２８】
玉型が円形で無い場合には、レンズの回転角θｉ（ｉ＝１，２，３，…，Ｎ）毎の回転速度については、等速とするのではなく、次のようにすると、より仕上がり精度の高い鏡面を得ることができる。すなわち、図４のように、鏡面砥石ＧＷと接触するレンズＬＥの接触点Ｐｉの移動速度（レンズの外形に沿った方向の移動速度）を略一定とするように、レンズの回転角θｉ毎の回転速度データを求め、これによりレンズ回転用のモータを制御する。例えば、図４に示すように、レンズＬＥの玉型が略方形である場合、仮に、レンズの回転角θｉ毎の回転速度が等速であるとすると、直線的な領域Ｔ１での接触点Ｐｉの移動速度に対して、玉型の動径長が急激に変化する領域Ｔ２での接触点Ｐｉの移動速度は遅くなる。この場合、接触点Ｐｉの移動速度に応じて、移動速度が速い領域Ｔ１の部分に対して、移動速度が遅い領域Ｔ２の部分では縦縞模様の間隔が密になる。これに対して、接触点Ｐｉの移動速度を略一定とするように、レンズの回転角θｉ毎の回転速度を制御すれば、縦縞模様の間隔も略一定となり、より見栄えの良い鏡面仕上がり面を得ることができる。
【００２９】
接触点Ｐｉの移動速度を略一定とする回転角θｉ毎の回転速度データは、次のように求めることができる。まず、レンズ１回転での回転速度が設定されたレンズ回転速度Ｖｌ（秒／１回転）を満たすように、レンズ回転速度Ｖｌ（秒／１回転）に基づいて、レンズの回転角θｉ（ｉ＝１，２，３，…，Ｎ）毎の回転速度を等速とした場合の平均速度Ｖａｖを求める。また、レンズＬＥの最終形状である玉型データに基づいてレンズの全周の周長を求め、回転角θｉのトータル分割数に基づいて回転角θｉの平均移動距離Ｄａｖを求める。平均移動距離Ｄａｖに対して、回転角θｉ毎に隣合う接触点Ｐｉ間の移動距離の変化率ΔＤを求める。なお、回転角θｉ毎の接触点Ｐｉの位置は、玉型データと鏡面砥石ＧＲの半径Ｒとに基づき、周知の方法で求めることができる。そして、求めた変化率ΔＤに応じて、各回転角θｉでの平均速度Ｖａｖを変化させることにより、各回転角θｉでの回転速度を決定する。ただし、各回転角θｉで回転速度を急激に変化できないところでは、徐々に回転速度を変化させる。これにより、レンズ回転速度Ｖｌ（秒／１回転）で接触点Ｐｉの移動速度を略一定にした加工が行える。
【００３０】
次に、本発明に係る眼鏡レンズ加工装置の実施形態を説明する。図５は、眼鏡レンズ加工装置の加工機構の概略構成図である。
【００３１】
加工装置本体１のベース１７０上にはキャリッジ部１００が搭載されている。キャリッジ１０１が持つレンズチャック軸（レンズ回転軸）１０２Ｌ，１０２Ｒに挟持された被加工レンズＬＥの周縁は、砥石スピンドル（砥石回転軸）１６１ａに同軸に取り付けられた円柱状の砥石群１６２の各砥石に圧接されて加工される。砥石群１６２は、プラスチック用の粗砥石１６３、ヤゲン形成用の溝及び平加工面を持つ仕上げ砥石１６４、ヤゲン形成用の溝及び平加工面を持つ鏡面砥石１６５から構成される。砥石スピンドル１６１ａは、モータ１６０により回転される。これらにより、砥石回転ユニットが構成される。
【００３２】
鏡面砥石１６５は仕上げ砥石１６４により仕上げ加工されたレンズコバの摺り面に対して、さらに光沢を出し、透明化するために使用される。例えば、仕上げ砥石１６４の粒度が４００番であり、鏡面砥石１６５の粒度は４０００番程度のものが適用される。なお、レンズのコバ面の鏡面加工具としては砥石が好適に使用されるが、粗加工具及び仕上げ加工具としては、砥石に限られず、カッターが使用されても良い。
【００３３】
キャリッジ１０１の左腕１０１Ｌにレンズチャック軸１０２Ｌが、右腕１０１Ｒにレンズチャック軸１０２Ｒが、それぞれ回転可能に同軸に保持されている。レンズチャック軸１０２Ｒは、右腕１０１Ｒに取り付けられたモータ１１０によりレンズチャック軸１０２Ｌ側に移動される。また、レンズチャック軸１０２Ｒ，１０２Ｌは、左腕１０１Ｌに取り付けられたモータ１２０により、ギヤ等の回転伝達機構を介して同期して回転される。これらによりレンズ回転手段（レンズ回転ユニット）が構成される。
【００３４】
キャリッジ１０１は、Ｘ軸方向に延びるシャフト１０３，１０４に沿って移動可能な支基１４０に搭載され、モータ１４５の回転によりＸ軸方向（レンズチャック軸の軸方向）に直線移動される。これらによりＸ軸方向移動手段が構成される。また、支基１４０には、Ｙ軸方向（レンズチャック軸１０２Ｌ、１０２Ｒと砥石スピンドル１６１ａの軸間距離が変動される方向）に延びるシャフト１５６，１５７が固定されている。キャリッジ１０１はシャフト１５６，１５７に沿ってＹ軸方向に移動可能に支基１４０に搭載されている。支基１４０にはＹ軸移動用モータ１５０が固定されている。モータ１５０の回転はＹ軸方向に延びるボールネジ１５５に伝達され、ボールネジ１５５の回転によりキャリッジ１０１はＹ軸方向に移動される。これらにより、Ｙ軸方向移動手段（軸間距離変動ユニット）が構成される。
【００３５】
図１において、キャリッジ１０１の上方には、レンズコバ位置測定部（レンズコバ位置検知ユニット）２００Ｆ、２００Ｒが設けられている。レンズコバ位置測定部２００Ｆは、レンズＬＥの前面に接触される測定子を持ち、レンズコバ位置測定部２００ＲはレンズＬＥの後面に当接される測定子を持つ。両測定子がそれぞれレンズＬＥの前面及び後面に接触された状態で、玉型データに基づいてキャリッジ１０１がＹ軸方向に移動され、レンズＬＥが回転されることにより、レンズ周縁加工のためのレンズ前面及びレンズ後面のコバ位置が同時に測定される。レンズコバ位置測定部２００Ｆ、２００Ｒの構成は、基本的に特開２００３−１４５３２８号公報に記載されたものを使用できる。
【００３６】
また、加工装置本体１の手前側に面取り機構部３００が配置されている。面取り機構部３００の詳細は略すが、面取り機構部３００は、モータにより回転される砥石回転軸を備え、砥石回転軸にはレンズ前面及びレンズ後面用の仕上げ面取り砥石及び鏡面面取り砥石が取り付けられている。面取り機構部３００の砥石回転軸は、面取り加工時に退避位置から所定の加工位置に移動される。
【００３７】
図６は装置の制御系ブロック図である。制御部５０には、眼鏡枠形状測定部２（特開平４−９３１６４号公報等に記載したものを使用できる）、スイッチ部７、メモリ５１、レンズコバ位置測定部２００Ｆ、２００Ｒ、タッチパネル式の表示手段及び入力手段としてのディスプレイ５、レンズＬＥの周縁加工時にノズルを介してレンズＬＥの加工面に研削水を供給する研削水供給ユニット５２、等が接続されている。メモリ５１には、粗加工、仕上げ加工及び鏡面加工の各加工段階におけるレンズ回転速度及び砥石回転速度の条件が記憶されている。制御部５０は、ディスプレイ５が持つタッチパネル機能により入力信号を受け、ディスプレイ５の図形及び情報の表示を制御する。また、制御部５０には、各モータ１１０，１４５，１６０，１２０，１５０及び面取り機構部３００が接続されている。
【００３８】
次に、鏡面加工を中心とした本装置の動作を説明する。眼鏡枠形状測定部２の測定により得られたレンズ枠の玉型データ（ｒｎ，ρn）（ｎ＝１，２，３，…，Ｎ）は、スイッチ部７が持つスイッチが押されることにより入力され、メモリ５１に記憶される。ρnは動径角であり、ｒｎは動径長である。ディスプレイ５の画面５００ａには、入力された玉型データに基づく玉型図形ＦＴが表示される。装用者の瞳孔間距離（ＰＤ値）、眼鏡フレームＦの枠中心間距離（ＦＰＤ値）、玉型の幾何中心ＦＣに対する光学中心ＯＣの高さ等のレイアウトデータが入力可能な状態とされる。レイアウトデータは、画面５００ｂに表示される所定のタッチキーを操作することにより入力される。また、タッチキー５１０，５１１，５１２、５１３等により、レンズの材質、フレームの種類、加工モード（ヤゲン加工、平仕上げ加工等の加工条件が設定される。レンズの材質は、タッチキー５１０により、プラスチックレンズ及びポリカーボネイトレンズ等が選択できる。また、タッチキー５１２により、レンズの周縁の仕上げを、鏡面仕上げにするか否かが選択できる。以下では、レンズの材質としてプラスチックレンズが選択され、加工モードとして平仕上げ加工が選択され、さらに鏡面仕上げが選択された場合を説明する。
【００３９】
レンズチャック軸にレンズＬＥが保持された後、スイッチ７のスタートスイッチが押されると、制御部５０によりレンズコバ位置測定部２００Ｆ、２００Ｒが作動され、玉型データに基づくレンズ前面及び後面のコバ位置が測定される。レンズのコバ位置測定により、玉型に対して未加工のレンズＬＥの径が不足しているか否かが確認される。ヤゲン加工が設定されている場合、レンズ前面及び後面のコバ位置データに基づいて、コバに形成するヤゲン軌跡が演算される。
【００４０】
レンズコバ位置測定の完了後、粗加工に移行される。制御部５０は、Ｘ軸移動用モータ１４５の駆動を制御し、レンズＬＥを粗砥石１６３上に位置させる。その後、制御部５０は、最終的な玉型に対して、仕上げ砥石１６５による仕上げ代（例えば、１．０ｍｍ）と鏡面砥石１６５による鏡面仕上げ代（例えば、０．１ｍｍ）を残すように演算された加工データに基づいて、レンズＬＥをモータ１２０により回転しながら、Ｙ軸移動用モータ１５０の駆動を制御する。レンズＬＥの周縁は、レンズＬＥの複数回の回転により粗加工される。粗加工時のレンズの回転速度は、例えば、８秒／１回転にて設定されている。また、粗加工時の粗砥石１６３は、粗砥石１６３の加工性能を充分に活かすように、モータ１６０が安定して回転可能な最も速い速度に設定されている。本装置では、粗砥石１６３は６０００ｒｐｍの回転速度で回転される。
【００４１】
粗加工が完了すると、仕上げ加工に移行される。制御部５０は、Ｘ軸移動用モータ１４５の駆動を制御し、レンズＬＥを仕上げ砥石１６４の平加工面上に位置させる。その後、鏡面加工の所定の仕上げ代（０．１ｍｍ）を残すように演算された仕上げ加工データに基づき、Ｙ軸移動用モータ１５０を制御し、仕上げ砥石１６４により仕上げ加工を行う。仕上げ加工時も、レンズの回転速度は８秒／１回転にて設定されている。また、仕上げ砥石１６４の回転速度は、粗加工時と同様に、モータ１６０が安定して回転可能な最も速い速度である６０００ｒｐｍに設定されている。なお、粗加工時及び仕上げ加工時のレンズＬＥの回転速度及び各砥石の回転速度の条件は、メモリ５１に予め記憶されている。
【００４２】
仕上げ加工が完了すると、鏡面加工に移行される。制御部５０は、Ｘ軸移動用モータ１４５の駆動を制御し、レンズＬＥを鏡面砥石１６５の平加工面上に位置させる。その後、鏡面加工の仕上げ代（０．１ｍｍ）を研削するように演算された鏡面加工データに基づき、Ｙ軸移動用モータ１５０を制御し、レンズＬＥの周縁を鏡面砥石１６５により鏡面加工する。なお、鏡面加工データは、最終形状の玉型データと鏡面砥石１６５の半径Ｒとに基づき、レンズＬＥを微小な回転角θｉ（ｉ＝１，２，３，…，Ｎ）毎に回転させ、各回転角θｉで玉型が鏡面砥石１６５の加工面に接するときのレンズチャック軸１０２Ｒ，１０２Ｌの中心ＬＯと砥石スピンドル（砥石回転軸）１６１ａの中心ＤＣとの軸間距離ＹＤｉを求めることにより演算され、（ＹＤｉ，θｉ）（ｉ＝１，２，３，…，Ｎ）として得られる（図４参照）。ここでは、平仕上げ加工を例にしているが、ヤゲン加工が設定されているとの鏡面加工データは、さらにヤゲン軌跡データに基づいてＸ軸方向成分の移動データＸＤｉ（ｉ＝１，２，３，…，Ｎ）が加えられ、（ＹＤｉ，ＸＤｉ，θｉ）（ｉ＝１，２，３，…，Ｎ）として得られる。
【００４３】
この鏡面加工時、仕上げ加工後の鏡面加工代（０．１ｍｍ）がレンズＬＥの複数回の回転で研削されが、少なくとも最終のレンズ回転段階では、前述のように、周期的な縦縞模様の発生を抑える条件にて設定され、メモリ５１に記憶されたレンズ回転速度Ｖｌ及び砥石回転速度Ｖｗに基づいて各モータ１２０及び１６０の駆動が制御される。さらに、好ましくは、鏡面砥石１６５とレンズＬＥとの接触点Ｐｉの移動速度を略一定とするように、玉型データ、鏡面砥石１６５の半径Ｒ及びレンズ回転速度Ｖｌに基づいて回転角θｉ毎のレンズ回転速度が求められ、モータ１２０の駆動が制御される。
【００４４】
レンズＬＥの複数回の回転で鏡面加工代（０．１ｍｍ）を加工する際には、次の２つの制御方法がある。鏡面加工時の第１の制御例を説明する。第１の制御例は、レンズＬＥの複数回の回転で鏡面加工代（０．１ｍｍ）が研削されるときに、レンズの回転速度と鏡面砥石１６５の回転速度が変えられた２段階で行われる例である。始めの第１段階では、主に、鏡面加工代（０．１ｍｍ）の大部分を効率的に研削するように設定されたレンズ回転速度と砥石回転速度により各モータ１２０及び１６０の駆動が制御される（この条件もメモリ５１に記憶されている）。最終的なレンズの回転を含む第２段階は、前述の第１方法又は第２方法で設定されたレンズ回転速度と砥石回転速度により各モータ１２０及び１６０の駆動が制御される。
【００４５】
第１段階の加工条件は、粒度が４０００番の鏡面砥石１６５で、レンズＬＥの被加工面に焼けを生じさせずに、加工効率が高くなるように設定された条件である。例えば、砥石回転速度Ｖｗが２０００ｒｐｍであり、レンズ回転速度Ｖｌが１５秒／１回転である。この第１段階の加工条件にて、レンズＬＥが２回転されることにより、鏡面加工代（０．１ｍｍ）の大部分が研削される。次の第２段階では、摺り残しを無くすと共に、周期的な縦縞模様の発生を抑えるために、前述の第１方法又は第２方法で設定された条件にレンズ回転速度と砥石回転速度が変えられ、レンズが２回転されて鏡面加工が行われる。本装置では、モータ１６０の大型化及び高コスト化を避けるため、回転能力が６０００ｒｐｍのモータが使用されている。また、鏡面加工時の加工時間を長引かせないため、周期的な縦縞模様の発生を抑える方法として、第２の方法で設定された条件のレンズ回転速度Ｖｌ及び砥石回転速度Ｖｗがメモリ５１に記憶されている。例えば、レンズ回転速度Ｖlが４秒／１回転であり、砥石回転速度Ｖｗを５００ｒｐｍである。この条件にてレンズが２回転されることにより、周期的な縦縞模様が目立たない鏡面加工面が得られ、鏡面仕上がりの品質が向上される。
【００４６】
なお、第１段階から第２段階のレンズ回転速度Ｖl及び砥石回転速度Ｖｗに変更される際、急激な変更が難しい場合には、レンズの１／２又は１／４回転では、速度が徐々に変えられる変遷領域として設けておけば良い。第２段階でのレンズの回転数は少なくとも１回転あれば良いが、摺り残しをできるだけ排除するためには、レンズが２回転行われるように設定されていることが好ましい。
【００４７】
第２の制御例を説明する。第２の制御例は、周期的な縦縞模様の発生を抑えるように前述の第１方法又は第２方法で設定された条件にて、鏡面加工の初期段階から行う制御方法である。この場合、レンズ１回転当りの鏡面加工代が多すぎると、レンズの被加工面に焼けが発生する可能性が高まるため、制御部５０はレンズ１回転毎に微小な鏡面加工代が研削されるように演算された鏡面加工データに基づいてＹ軸方向移動手段のモータ１５０の駆動を制御し、微小な加工代分が全体の鏡面加工代となるまでレンズを回転させる。例えば、レンズ１回転毎の微小な加工代を０．０１ｍｍとし、レンズが１０回転されることにより、全体の鏡面加工代０．１ｍｍが加工される。
【００４８】
なお、第２の制御例において、周期的な縦縞模様を密にする第１の方法により設定された条件であっても、周期的な縦縞模様が目立たない鏡面加工面を得ることができる。しかし、例えば、砥石回転速度Ｖｗが６０００ｒｐｍに設定され、レンズ回転速度Ｖｌが２５．２秒／１回転に設定されている場合に、レンズが１０回転される加工では加工時間が長くなる。このため、第２の制御例においては、周期的な縦縞模様を粗くする第２の方法により設定された条件を適用することが好ましい。例えば、砥石回転速度Ｖｗが５００ｒｐｍに設定され、レンズ回転速度Ｖlが５秒／1回転で設定されている場合には、レンズの１０回転でも５０秒の加工時間で行え、従来に対して加工時間を長引かせずに済む。
【００４９】
以上の第１の制御又は第２の制御により、レンズＬＥの周縁の鏡面加工が精度良く行われる。面取り加工が設定されている場合も、面取りの鏡面加工時には上述と同様な条件にて設定されたレンズ回転速度Ｖｌ及び砥石回転速度Ｖｗにて鏡面面取り砥石を回転させるモータが制御される。
【００５０】
また、タッチキー５１０によりポリカーボネイトレンズが選択され、タッチキー５１２により鏡面加工が選択されている場合、レンズの周縁が粗砥石１６３により粗加工され、仕上げ砥石１６５に仕上げ加工される。ポリカーボネイトレンズの粗加工及び仕上げ加工の段階では、研削水供給ユニット５２による研削水の供給は停止される。仕上げ加工終了後、鏡面砥石１６５による鏡面加工に移行される。ポリカーボネイトレンズの鏡面加工では、研削水の供給が行われずに加工される第１段階と、研削水の供給が行われながら加工される第２段階と、により加工が制御される。鏡面加工代はプラスチックの場合と同様に、例えば、０．１ｍｍに設定されている。
【００５１】
鏡面加工の第１段階では、前述の第１の制御例が適用される。すなわち、鏡面加工代（０．１ｍｍ）の大部分を効率的に研削するように設定されたレンズ回転速度と砥石回転速度により各モータ１２０及び１６０の駆動が制御される。例えば、砥石回転速度Ｖｗが２０００ｒｐｍであり、レンズ回転速度Ｖｌが１５秒／１回転である。
【００５２】
鏡面加工の第２段階では、研削水の供給が行われると共に、周期的な縦縞模様を目立たなくするように設定された条件の砥石回転速度Ｖｗ及びレンズ回転速度Ｖｌによってモータ３２１及びモータ１２０の駆動が制御される。ポリカーボネイトレンズの鏡面加工では、研削水が供給されることにより、被加工面の熱が下げられ、被加工面が艶を持つように加工される。このとき、前述の条件の砥石回転速度Ｖｗ及びレンズ回転速度Ｖｌが適用されることにより、周期的な縦縞模様が目立たなくなり、見栄えの良い鏡面仕上がり面を得ることができる。
【図面の簡単な説明】
【００５３】
【図１】鏡面砥石の１回転により生じる加工面の高さ変動の説明図である。
【図２】レンズの被加工面に現れる周期的な変動の説明図である。
【図３】従来の加工条件、第１方法の加工条件及び第２方法の加工条件で、被加工面の高さ変動をシミュレーションした結果の模式図である。
【図４】鏡面加工時に鏡面砥石と接触するレンズの接触点を示す図である。
【図５】眼鏡レンズ加工装置の加工機構の概略構成図である。
【図６】装置の制御系ブロック図である。
【符号の説明】
【００５４】
５０  制御部
５１  メモリ
１００  キャリッジ部
１０２Ｌ，１０２Ｒ  レンズチャック軸
１２０  モータ
１６１ａ  砥石スピンドル
ＧＷ、１６５  鏡面砥石
１６０  モータ
１４５  モータ
【図１】
2010280018.tif 000003
【図２】
2010280018.tif 000004
【図３】
2010280018.tif 000005
【図４】
2010280018.tif 000006
【図５】
2010280018.tif 000007
【図６】
2010280018.tif 000008